(57)【要約】【課題】携帯機が車両の室内空間に存在するにもかかわらず、携帯機が車両の室内空間にないと誤って報知されてしまう可能性の低減を図ることができるスマートキーシステムを提供する。【解決手段】本発明のスマートキーシステムによれば、車両制御装置１０が第２イベントの発生を感知したことに応じて車両１の内部空間に起動信号を送信した後、携帯機２から認証用信号を受信し、かつ、この認証用信号に含まれている認証子が第２要件を満たしている場合、車両制御装置１０と携帯機２との間の通信障害が存在する旨の報知が保留または停止される。「第２要件」とは当該認証子に合致する第２認証子が記憶装置１００に保存されていることである。すなわち、質問信号および回答信号の送受信の成否とは関係なく当該報知が保留または停止されうる。【選択図】  図３
2010031590.tif 000002
【特許請求の範囲】
【請求項１】
携帯機と、前記携帯機との通信結果に基づいて車両に搭載されている機器の動作を制御する車両制御装置とを備え、前記車両制御装置が第１認証子および第２認証子を保存または格納する記憶装置を備え、前記車両制御装置が第１イベントの発生を感知した場合に起動信号を送信し、前記携帯機が前記起動信号を受信したことを要件として認証子を含む認証用信号を送信し、前記車両制御装置が前記認証用信号を受信し、かつ、前記認証用信号に含まれる前記認証子がこれと合致する前記第１認証子が前記記憶装置により保存されているという第１要件を満たす場合に質問信号を送信し、前記携帯機が前記質問信号を受信したことを要件として回答信号を送信し、前記車両制御装置が前記回答信号を受信したことを要件として前記機器の動作を制御する一方、前記携帯機から前記認証用信号を受信しなかった場合には前記携帯機が前記車両の室内空間に存在しないことを報知するスマートキーシステムであって、
前記車両制御装置が第２イベントの発生を感知した場合に前記起動信号を前記車両の内部空間に送信し、その後、前記認証用信号を受信し、かつ、前記認証用信号に含まれている前記認証子がこれと合致する前記第２認証子が前記記憶装置に保存されているという第２要件を満たす場合に前記報知を保留または停止することを特徴とするスマートキーシステム。
【請求項２】
請求項１記載のスマートキーシステムにおいて、
前記車両制御装置が前記第１要件を満たす前記認証子を前記第２認証子として前記記憶装置に保存または格納することを特徴とするスマートキーシステム。
【請求項３】
請求項２記載のスマートキーシステムにおいて、
前記車両制御装置が前記第１要件を満たした累積回数が最高の前記認証子を前記第２認証子として前記記憶装置に保存または格納することを特徴とするスマートキーシステム。
【発明の詳細な説明】
【技術分野】
【０００１】
本発明は、携帯機と、前記携帯機との通信結果に基づいて車両に搭載されている機器の動作を制御する車両制御装置とを備えているスマートキーシステムに関する。
【背景技術】
【０００２】
車両制御装置が携帯機との通信に基づいてこの携帯機を認証したことを要件として、ドアのロックもしくはアンロックまたはエンジンの始動が実行されるスマートキーシステムが知られている。スマートキーシステムにおいて、運転者が気づかないうちに携帯機が車外に持ち出されてしまうとエンジンの再始動等ができなくなる。そこで、たとえば車両制御装置が携帯機に対して質問信号を送信したにもかかわらず、一定時間にわたり携帯機から回答信号を受信しなかった場合、携帯機がエンジンを再始動等させうる通常状態にはないこと、すなわち、携帯機が車両の室内空間に存在しないことを車両の乗員に対して報知することが対応措置として挙げられる。
【０００３】
しかるに、車両に搭載されている電子機器の作動等に起因する電磁ノイズによって車両制御装置と携帯機との通信が妨害されることにより、携帯機が車内にあるにもかかわらず携帯機が車内にないことが報知される場合がある。そこで、ノイズのレベルに応じて報知方法を変化させることにより、ノイズの影響を軽減するためには携帯機の置き場所を変える必要があることをユーザに知らせる技術が提案されている（特許文献１参照）。
【特許文献１】特開２００６−１０４６６３号公報
【発明の開示】
【発明が解決しようとする課題】
【０００４】
しかし、ユーザにより携帯機の置き場所が変えられたとしてもただちにノイズの影響が軽減されるとは限らないので、車両制御装置により携帯機が車両室内空間に存在しない旨が継続して報知されてしまう。このような誤報知はユーザにスマートキーシステムへの不信感を抱かせることになりかねない。
【０００５】
そこで、本発明は、携帯機が車両の室内空間に存在するにもかかわらず、携帯機が車両の室内空間にないと誤って報知されてしまう可能性の低減を図ることができるスマートキーシステムを提供することを解決課題とする。
【課題を解決するための手段】
【０００６】
第１発明のスマートキーシステムは、携帯機と、前記携帯機との通信結果に基づいて車両に搭載されている機器の動作を制御する車両制御装置とを備え、前記車両制御装置が第１認証子および第２認証子を保存または格納する記憶装置を備え、前記車両制御装置が第１イベントの発生を感知した場合に起動信号を送信し、前記携帯機が前記起動信号を受信したことを要件として認証子を含む認証用信号を送信し、前記車両制御装置が前記認証用信号を受信し、かつ、前記認証用信号に含まれる前記認証子がこれと合致する前記第１認証子が前記記憶装置により保存されているという第１要件を満たす場合に質問信号を送信し、前記携帯機が前記質問信号を受信したことを要件として回答信号を送信し、前記車両制御装置が前記回答信号を受信したことを要件として前記機器の動作を制御する一方、前記携帯機から前記認証用信号を受信しなかった場合には前記携帯機が前記車両の室内空間に存在しないことを報知するスマートキーシステムであって、前記車両制御装置が第２イベントの発生を感知した場合に前記起動信号を前記車両の内部空間に送信し、その後、前記認証用信号を受信し、かつ、前記認証用信号に含まれている前記認証子がこれと合致する前記第２認証子が前記記憶装置に保存されているという第２要件を満たす場合に前記報知を保留または停止することを特徴とする。
【０００７】
第１発明のスマートキーシステムによれば、車両制御装置が第２イベントの発生を感知したことに応じて車両の室内空間に起動信号を送信した後、携帯機から認証用信号を受信し、かつ、この認証用信号に含まれている認証子が第２要件を満たしている場合、携帯機が車両の室内空間に存在しない旨の報知が保留または停止される。「第２要件」とは当該認証子に合致する第２認証子が記憶装置に保存されていることである。すなわち、車両制御装置により第２イベントの発生が感知された場合、車両制御装置により第１イベントが感知されたことに応じて機器の動作が制御される場合とは異なり、質問信号および回答信号の送受信の成否とは関係なく当該報知が保留または停止されうる。したがって、車両の室内空間に携帯機が存在するにもかかわらず、車両の室内空間に生じたノイズにより携帯機が車両室内空間に存在しないことが誤って報知される可能性の低減を図ることができる。
【０００８】
第２発明のスマートキーシステムは、第１発明のスマートキーシステムにおいて、前記車両制御装置が前記第１要件を満たす前記認証子を前記第２認証子として前記記憶装置に保存または格納することを特徴とする。
【０００９】
第２発明のスマートキーシステムによれば、機器の動作制御に際して第１要件を満たした認証子を有する携帯機が車両の室内空間に存在するにもかかわらず、その後、第２イベントの発生が感知されたことに応じて当該携帯機が有する認証子が第２要件を満たさないと判定される事態が回避されうる。また、前記のように質問信号および回答信号の送受信の成否とは関係なく当該報知が保留または停止されうるので、車両の室内空間に適正な携帯機が存在するにもかかわらず、車両の室内空間に生じたノイズにより携帯機が車両室内空間に存在しないことが誤って報知される可能性の低減を図ることができる。
【００１０】
第３発明のスマートキーシステムは、第２発明のスマートキーシステムにおいて、前記車両制御装置が前記第１要件を満たした累積回数が最高の前記認証子を前記第２認証子として前記記憶装置に保存または格納することを特徴とする。
【００１１】
第３発明のスマートキーシステムによれば、機器の動作制御に際して第１要件を満たした回数が最も多い認証子を有する携帯機が車両の室内空間に存在するにもかかわらず、その後、第２イベントの発生が感知されたことに応じて当該携帯機が有する認証子が第２要件を満たさないと判定される事態が回避されうる。また、前記のように質問信号および回答信号の送受信の成否とは関係なく当該報知が保留または停止されうるので、車両の室内空間に適正な携帯機が存在するにもかかわらず、車両の室内空間に生じたノイズにより携帯機が車両室内空間に存在しないことが誤って報知される可能性の低減を図ることができる。
【発明を実施するための最良の形態】
【００１２】
本発明のスマートキーシステムの実施形態について図面を用いて説明する。図１に示されているスマートキーシステムは、車両（四輪自動車）１に搭載されている車両制御装置１０と、車両１のユーザにより所持される携帯機２とを備えている。車両制御装置１０はＥＣＵ（電子制御ユニット。ＣＰＵ，ＲＯＭ，ＲＡＭおよびこれらを接続するバスライン等により構成されている。）により構成されている。車両制御装置１０は第１認証子および第２認証子を保存または格納する記憶装置１００を備えている。車両制御装置１０と対をなす一または複数の携帯機２のそれぞれに応じた数の第１認証子が記憶装置１００にあらかじめ保存されている。車両制御装置１０は携帯機２との通信結果に基づいて車両１に搭載されている第１電子機器１１および第２電子機器１２の動作を制御する。第１電子機器１１はたとえばドアロックアクチュエータであり、ドアのロックまたはアンロックを第１タスクとして実行する。第２電子機器１２はたとえばエンジンスタータであり、エンジンの始動を第２タスクとして実行する。車両制御装置１０は、携帯機２が車両１の室内空間に存在しないことを車両１に搭載されている報知機器１３を通じて報知する。車両制御装置１０は送信回路１０１と、受信回路１０２と、車外用送信アンテナ１０３と、車外用受信アンテナ１０４と、車内用送信アンテナ１０５と、車内用受信アンテナ１０６とを備えている。なお、車外用受信アンテナ１０４と車内用受信アンテナ１０６とは共通のアンテナであってもよい。車外用送信アンテナ１０３は運転席ドアおよび助手席ドアに配設され、車内用送信アンテナ１０５は車両１の室内空間中央付近に配設されている。送信回路１０１は、車両制御装置１０から出力された信号を所定周波数の信号に変調し、この信号を車外用送信アンテナ１０３または車内用送信アンテナ１０５を介して送信する。車外用受信アンテナ１０４は運転席ドアおよび助手席ドアに配置され、車内用受信アンテナ１０６は車両１の室内空間中央付近に配置されている。受信回路１０２は、車外用受信アンテナ１０４または室内用受信アンテナ１０６を介して携帯機２から信号を受信し、この信号を復調して車両制御装置１０に出力する。
【００１３】
携帯機２は樹脂製ケース（図示略）に内蔵されている通信制御装置２０と、受信回路２１と、送信回路２２と、選択回路２０２と、第１受信アンテナ２１１、第２受信アンテナ２１２および第３受信アンテナ２１３と、送信アンテナ２２０とを備えている。通信制御装置２０はコンピュータ（ＣＰＵ，ＲＯＭ，ＲＡＭ，Ｉ／Ｏ回路等により構成されている。）により構成されている。通信制御装置２０は複数の受信アンテナ２１１、２１２および２１３のうち１つを車両１からの送信信号を受信するための「有効アンテナ」として指定し、選択回路２０２に制御信号を送信することにより、選択回路２０に有効アンテナを切り替えさせる。なお、選択回路２０２に加えてまたは代えて各受信アンテナと通信制御装置２０との連結および遮断を切り替える無効化回路が設けられ、当該無効化回路により有効アンテナが切り替えられてもよい。受信回路２１は有効アンテナを介して信号を外部から受信し、この信号をパルス信号に復調して通信制御装置２０に出力する。送信回路２２は、通信制御装置２０から出力される信号を所定周波数の信号に変調し、送信アンテナ２２０を介して外部に送信する。携帯機２のケースはたとえば矩形板状であり、３つのアンテナ２１１，２１２および２１３のそれぞれは直交する３つの軸方向のそれぞれへの指向性を有するように構成または配置されている。携帯機２は車両１のユーザにより衣類のポケットに入れられる等の形で携帯されうるように軽量かつコンパクトに形成されている。車両制御装置１０および携帯機２は相互に通信機能を有している限り、アンテナの個数等は任意に変更されてもよい。
【００１４】
前記構成のスマートキーシステムの機能について説明する。最初に車両制御装置１０による電子機器の制御方法について説明する。まず、第１イベントの発生が感知される（図２／Ｓ１０２）。「第１イベント」は車両制御装置１０が第１電子機器１１または第２電子機器１２の動作を制御するトリガとなるイベントである。たとえば、ドアノブの近傍範囲にユーザの手が近づいたこと、または、エンジン始動用スイッチがユーザにより触られたことが第１イベントに該当する。
【００１５】
また「起動信号」が送信され（図２／Ｓ１０４）、携帯機２により起動信号の受信成功を要件として送信される「認証用信号」の受信成否が車両制御装置１０により判定される（図２／Ｓ１０６）。認証用信号には携帯機２に固有の認証子が含まれている。また、認証用信号の受信が成功したと判定された場合（図２／Ｓ１０６‥ＹＥＳ）、第１認証の成否が判定される（図２／Ｓ１０８）。第１認証の成否は、認証用信号に含まれている認証子に合致する第１認証子が記憶装置１００に保存されているか否かに応じて判定される。
【００１６】
第１認証に成功したと判定された場合（図２／Ｓ１０８‥ＹＥＳ）、「質問信号」が送信され（図２／Ｓ１１０）、携帯機２により質問信号の受信成功を要件として送信される「回答信号」の受信成否が車両制御装置１０により判定される（図２／Ｓ１１２）。回答信号の受信に成功したと判定された場合（図２／Ｓ１１２‥ＹＥＳ）、車両制御装置１０により第１イベントに応じたタスクが実行される（図２／Ｓ１１４）。具体的には、ドアノブにユーザの手が近づいたという第１イベントに応じて、第１電子機器１１としてのドアロックアクチュエータによりドアのアンロックが第１タスクとして実行される。また、エンジン始動用スイッチにユーザの手が触れたという第１イベントに応じて第２電子機器１２としてのエンジンスタータによりエンジンの始動が第２タスクとして実行される。そして、第１認証に成功した際の認証子が「第２認証子」として記憶装置１００に保存される（図２／Ｓ１１６）。前記一連の通信が車外用送信アンテナ１０３および車外用受信アンテナ１０４を通じて実施された場合には第１タスクが実行され、車内用送信アンテナ１０５および車内用受信アンテナ１０６を通じて実施された場合には第２タスクが実行される。なお、一般に起動信号および認証要信号と比較して、質問信号および回答信号のほうがコードのビット列が長いので、質問信号および回答信号の通信が省略されることにより、ノイズ等により通信エラーが発生する確率を低減させることができる。
【００１７】
一方、認証用信号の受信に失敗した場合（図２／Ｓ１０６‥ＮＯ）、第１認証に失敗した場合（図２／Ｓ１０８‥ＮＯ）または回答信号の受信に失敗した場合（図２／Ｓ１１２‥ＮＯ）、報知機器１３を通じて携帯機２が車両１の室内空間に存在しない旨が報知される（図２／Ｓ１１８）。そのほか、回答信号がメモリに記憶されている規定の信号と異なっていると判定された場合、報知機器１３を通じて携帯機２が車両１の室内空間に存在しない旨が報知されてもよい。具体的には、携帯機２が車両１の室内空間に存在しないことを表わすメッセージ、アイコンまたは標識が報知機器１２としてのディスプレイ装置に表示され、報知機器１２としてのランプが点灯し、あるいは、報知機器１２としての音声出力装置により携帯機２が車両１の室内空間に存在しない旨を表わす音声が出力される。
【００１８】
次に車両制御装置１０による報知機器１２の動作制御方法について説明する。まず、第２イベントの発生が感知される（図３／Ｓ２０２）。「第２イベント」は車両制御装置１０が報知機器１３を通じた報知制御のトリガとなるイベントである。たとえば、車両１のドアが開けられたこと、または、携帯機２が車両１の室内空間に存在することを間欠的または周期的に確認するための設定周期が経過したことが第２イベントに該当する。当該周期が経過したことは、たとえば、周期的にカウントアップおよびリセットが繰り返されるタイマのカウント時間が最大値に到ったことまたはリセットされたことにより認識されうる。
【００１９】
また、車内用送信アンテナ１０５を通じて「起動信号」が車両１の室内空間に送信され（図３／Ｓ２０４）、携帯機２により起動信号の受信成功を要件として送信される「認証用信号」の車内用受信アンテナ１０６を通じた受信成否が車両制御装置１０により判定される（図３／Ｓ２０６）。認証用信号には前記のように携帯機２に固有の認証子が含まれている。また、認証用信号の受信が成功したと判定された場合（図３／Ｓ２０６‥ＹＥＳ）、第２認証の成否が判定される（図３／Ｓ２０８）。第２認証の成否は、認証用信号に含まれている認証子に合致する第２認証子が記憶装置１００に保存されているか否かに応じて判定される。
【００２０】
第２認証に成功したと判定された場合（図３／Ｓ２０８‥ＹＥＳ）、報知機器１３による報知が保留または停止される（図３／Ｓ２１６）。一方、第２認証に失敗したと判定された場合（図３／Ｓ２０８‥ＮＯ）、第１認証の成否が判定される（図３／Ｓ２１０）。第１認証の成否は、前記のように認証用信号に含まれている認証子に合致する第１認証子が記憶装置１００に保存されているか否かに応じて判定される。
【００２１】
第１認証に成功したと判定された場合（図３／Ｓ２１０‥ＹＥＳ）、「質問信号」が送信され（図３／Ｓ２１２）、携帯機２により質問信号の受信成功を要件として送信される「回答信号」の受信成否が車両制御装置１０により判定される（図３／Ｓ２１４）。回答信号の受信に成功したと判定された場合（図３／Ｓ２１４‥ＹＥＳ）、報知機器１３を通じた報知が保留または停止される（図３／Ｓ２１６）。
【００２２】
一方、認証用信号の受信に失敗した場合（図３／Ｓ２０６‥ＮＯ）、第１認証に失敗した場合（図３／Ｓ２１０‥ＮＯ）または回答信号の受信に失敗した場合（図３／Ｓ２１４‥ＮＯ）、報知機器１３を通じて携帯機２が車両１の室内空間に存在しないことが報知される（図３／Ｓ２１８）。
【００２３】
前記機能を発揮するスマートキーシステムによれば、車両制御装置１０が第２イベントの発生を感知したことに応じて車両１の室内空間に起動信号を送信した後、携帯機２から認証用信号を受信し、かつ、この認証用信号に含まれている認証子が第２要件を満たしている場合、携帯機２が車両１の室内空間に存在しない旨の報知が保留または停止される（図３／Ｓ２０２，Ｓ２０４，Ｓ２０６，Ｓ２０８，Ｓ２１６参照）。「第２要件」とは当該認証子に合致する第２認証子が記憶装置１００に保存されていることである。すなわち、車両制御装置１０により第２イベントの発生が感知された場合、車両制御装置１０により第１イベントが感知されたことに応じて機器１１または１２の動作が制御される場合とは異なり、質問信号および回答信号の送受信の成否とは関係なく当該報知が保留または停止されうる（図２参照）。したがって、車両１の室内空間に適正な携帯機２が存在するにもかかわらず、車両１の室内空間に生じたノイズによって携帯機２が車両１の室内空間に存在しないことが誤って報知される可能性の低減を図ることができる。
【００２４】
また、機器１１または１２の動作制御に際して第１要件を満たした認証子が第２認証子として記憶装置１００に保存される（図２／Ｓ１１６参照）。「第１要件」とは当該認証子に合致する第１認証子が記憶装置１００に保存されていることである。このため、機器１１または１２の動作制御を可能とする携帯機２が車両１の室内空間に存在するにもかかわらず、その後、第２イベントの発生が感知されたことに応じて当該携帯機２が有する認証子が第２要件を満たさないと判定される事態が回避されうる。また、前記のように質問信号および回答信号の送受信の成否とは関係なく当該報知が保留または停止されうるので、車両１の室内空間に適正な携帯機２が存在するにもかかわらず、車両１の室内空間に生じたノイズにより携帯機２が車両１の室内空間に存在しないことが誤って報知される可能性の低減を図ることができる。
【００２５】
なお、車両制御装置１０が第１要件を満たした累積回数が最高の認証子を第２認証子として記憶装置１００に保存または格納してもよい。当該構成のスマートキーシステムによれば、機器１１または１２の動作制御に際して第１要件を満たした回数が最も多い認証子を有する携帯機２が車両１の室内空間に存在するにもかかわらず、その後、第２イベントの発生が感知されたことに応じて当該携帯機２が有する認証子が第２要件を満たさないと判定される事態が回避されうる。また、前記のように質問信号および回答信号の送受信の成否とは関係なく当該報知が保留または停止されうるので、車両１の室内空間に携帯機２が存在するにもかかわらず、車両１の室内空間に生じたノイズにより携帯機２が車両１の室内空間に存在しないことが誤って報知される可能性の低減を図ることができる。
【図面の簡単な説明】
【００２６】
【図１】本発明のスマートキーシステムの構成説明図
【図２】車両制御装置による電子機器の制御方法に関するフローチャート
【図３】車両制御装置による報知制御方法に関するフローチャート
【符号の説明】
【００２７】
１‥車両、２‥携帯機、１０‥車両制御装置、１３‥報知機器、１００‥記憶装置
【図１】
2010031590.tif 000003
【図２】
2010031590.tif 000004
【図３】
2010031590.tif 000005